(57)【要約】【課題】電線群の狭小な空間に配索される部分を保護することができるワイヤハーネスおよびプロテクタを提供する。【解決手段】複数の電線１１からなる電線群１２と、各電線１１を１本ずつ収容して保護するプロテクタ２Ａと、を備え、プロテクタ２Ａは、一対の平面部２１と、一対の平面部２１間に並列する複数の隔壁２２と、隔壁２２間に形成されて各電線１１を収容する断面矩形の電線収容孔２３と、を有するプラスチック成形パネルＰ１よりなり、一方の平面部２１に、各電線収容孔２３に対応してスリット２４が形成され、各電線１１は、スリット２４を通して各電線収容孔２３に収容されている。【選択図】図１
2016101027.tif 000002
【特許請求の範囲】
【請求項１】
複数の電線からなる電線群と、
前記各電線を１本ずつ収容して保護するプロテクタと、を備え、
前記プロテクタは、一対の平面部と、前記一対の平面部間に並列する複数の隔壁と、前記隔壁間に形成されて各電線を収容する断面矩形の電線収容孔と、を有するプラスチック成形パネルよりなり、前記一方の平面部に、前記各電線収容孔に対応してスリットが形成され、
前記各電線は、前記スリットを通して前記各電線収容孔に収容されていることを特徴とするワイヤハーネス。
【請求項２】
前記プロテクタは、複数の前記プラスチック成形パネルの前記各電線収容孔に前記各電線を収容してから、前記複数のプラスチック成形パネルが積層されていることを特徴とする請求項１に記載のワイヤハーネス。
【請求項３】
前記プロテクタは、前記平面部の所要位置に開口部が形成され、
前記電線群の枝線または幹線が前記開口部より取り出されたことを特徴とする請求項１または２に記載のワイヤハーネス。
【請求項４】
複数の電線を１本ずつ収容して保護するプロテクタであって、
一対の平面部と、前記一対の平面部間に並列する複数の隔壁と、前記隔壁間に形成されて各電線を収容する断面矩形の電線収容孔と、を有するプラスチック成形パネルよりなり、かつ前記一方の平面部に、前記各電線収容孔に対応してスリットが形成されてなることを特徴とするプロテクタ。
【発明の詳細な説明】
【技術分野】
【０００１】
本発明は、ワイヤハーネスおよびプロテクタに関する。
【背景技術】
【０００２】
従来、自動車に配索される電線群を保護するためのプロテクタを備えたワイヤハーネスが知られている（例えば、特許文献１参照）。
【０００３】
図７に示すように、特許文献１に記載されたワイヤハーネス１０１は、例えば、電線群１０５を構成する複数の電線において車体部材と車両部品との間に配索される部分を、プロテクタ１０４により保護するようになっている。ワイヤハーネス１０１は、本体１０２と蓋部１０３とを組み合わせて形成される筒状のプロテクタ１０４に、複数の電線を束ねた電線群１０５を収容した構成を有している。
【先行技術文献】
【特許文献】
【０００４】
【特許文献１】特開２００５−１６０２２２号公報
【発明の概要】
【発明が解決しようとする課題】
【０００５】
しかしながら、上述したワイヤハーネス１０１は、複数の電線を束ねた電線群１０５をプロテクタ１０４に収容しているため、車体部材と車両部品との間隔が小さい場合には、車体部材と車両部品との間にプロテクタ１０４を配置できず、電線群１０５を保護することができないという問題がある。
【０００６】
本発明は、上述のような課題を解決するためになされたもので、電線群の狭小な空間に配索される部分を保護することができるワイヤハーネスおよびプロテクタを提供することを目的としている。
【課題を解決するための手段】
【０００７】
本発明に係るワイヤハーネスは、上記目的を達成するため、複数の電線からなる電線群と、前記各電線を１本ずつ収容して保護するプロテクタと、を備え、前記プロテクタは、一対の平面部と、前記一対の平面部間に並列する複数の隔壁と、前記隔壁間に形成されて各電線を収容する断面矩形の電線収容孔と、を有するプラスチック成形パネルよりなり、かつ前記一方の平面部に、前記各電線収容孔に対応してスリットが形成され、前記各電線は、前記スリットを通して前記各電線収容孔に収容されている。
【０００８】
この構成により、本発明に係るワイヤハーネスは、各電線をプラスチック成形パネルよりなるプロテクタの各電線収容孔に収容する構成であるので、従来の複数の電線を束ねた電線群をプロテクタで隠蔽した構成のワイヤハーネスでは配索することが難しかった狭小な空間にも電線群を配索できる。
【０００９】
上述したワイヤハーネスにおいて、前記プロテクタは、複数の前記プラスチック成形パネルの前記各電線収容孔に前記各電線を収容してから、前記複数のプラスチック成形パネルが積層されていることが好ましい。
【００１０】
この構成により、本発明に係るワイヤハーネスは、各電線収容孔に各電線が収容された複数のプラスチック成形パネルを積層するので、車両の狭小な空間の隙間寸法が複数枚のプラスチック成形パネルを収容できる大きさであるときに、複数の電線を不要に平面状に広げない状態で電線群を配索できる。
【００１１】
上述したワイヤハーネスにおいて、前記プロテクタは、前記平面部の所要位置に開口部が形成され、前記電線群の枝線または幹線が前記開口部より取り出されたことが好ましい。
【００１２】
この構成により、本発明に係るワイヤハーネスは、車両の狭小な空間に対応した位置でプロテクタの開口部から枝線または幹線を取り出す配索ができるので、電線群の配索の自由度が増大する。
【００１３】
また、本発明に係るプロテクタは、複数の電線を１本ずつ収容して保護するプロテクタであって、一対の平面部と、前記一対の平面部間に並列する複数の隔壁と、前記隔壁間に形成されて各電線を収容する断面矩形の電線収容孔と、を有するプラスチック成形パネルよりなり、前記一方の平面部に、前記各電線収容孔に対応してスリットが形成されている。
【００１４】
この構成により、本発明に係るプロテクタは、各電線をプラスチック成形パネルよりなるプロテクタの各電線収容孔に収容するので、従来の複数の電線を束ねた電線群をプロテクタで隠蔽した構成のワイヤハーネスでは配索することが難しかった狭小な空間にも電線群を配索できる。
【発明の効果】
【００１５】
本発明によれば、電線群の狭小な空間に配索される部分を保護することができるワイヤハーネスおよびプロテクタを提供することができる。
【図面の簡単な説明】
【００１６】
【図１】本発明の第１の実施の形態に係るワイヤハーネスの概略斜視図である。
【図２】本発明の第２の実施の形態に係るワイヤハーネスの概略斜視図である。
【図３】本発明の第３の実施の形態に係るワイヤハーネスの概略斜視図である。
【図４】本発明の第４の実施の形態に係るワイヤハーネスの概略斜視図である。
【図５】本発明の第５の実施の形態に係るワイヤハーネスの概略斜視図である。
【図６】本発明の第６の実施の形態に係るワイヤハーネスの概略斜視図である。
【図７】従来のワイヤハーネスの分解斜視図である。
【発明を実施するための形態】
【００１７】
以下、本発明の実施の形態に係るワイヤハーネスおよびプロテクタについて、図面を参照して説明する。
【００１８】
図１に示すように、本発明の第１の実施の形態に係るワイヤハーネス１Ａは、複数の電線１１からなる電線群１２と、各電線１１を１本ずつ隔離状態に収容して保護するプロテクタ２Ａと、を備えている。
【００１９】
プロテクタ２Ａは、一対の平面部２１と、一対の平面部２１間に並列する複数の隔壁２２と、隔壁２２間に形成されて各電線１１を収容する断面矩形の電線収容孔２３と、を有するプラスチック成形パネルＰ１よりなる。
【００２０】
プラスチック成形パネルＰ１は、７個の電線収容孔２３が並んで形成されており、一方の平面部２１に、各電線収容孔２３に対応してスリット２４が形成されている。
【００２１】
スリット２４は、プラスチック成形パネルＰ１の成形時に形成される場合と、成形後にナイフカットにより形成される場合のいずれであってもよい。
【００２２】
各電線１１は、スリット２４を通してプラスチック成形パネルＰ１の内部に向けて押し込まれ、各電線収容孔２３に収容されている。
【００２３】
本実施の形態に係るワイヤハーネス１Ａは、各電線１１をプラスチック成形パネルＰ１よりなるプロテクタ２Ａの各電線収容孔２３に１本ずつ収容するので、電線収容孔２３の断面積を可及的に小さくすることができるから、プラスチック成形パネルＰ１の厚みを極めて小さくすることができ、これにより、従来の複数の電線を束ねた電線群をプロテクタで隠蔽した構成のワイヤハーネスでは配索することが難しかった狭小な空間にも電線群１２を配索できる。
【００２４】
また、本実施の形態に係るワイヤハーネス１Ａは、各電線１１をスリット２４を通してプラスチック成形パネルＰ１の内部に向けて押し込むので、電線１１の端部に端子等の部品が装着されている場合でも、各電線１１を容易に電線収容孔２３に収容することができる。
【００２５】
図２に示すように、本発明の第２の実施の形態に係るワイヤハーネス１Ｂは、図示しない電線群と、図示しない各電線を１本ずつ隔離状態に収容して保護するプロテクタ２Ｂと、を備えている。
【００２６】
プロテクタ２Ｂは、一対の平面部２１と、一対の平面部２１間に並列する複数の隔壁２２と、隔壁２２間に形成されて各電線１１を収容する断面矩形の電線収容孔２３と、を有するプラスチック成形パネルＰ１，Ｐ２，Ｐ３，Ｐ４よりなる。
【００２７】
プラスチック成形パネルＰ１，Ｐ２は、７個の電線収容孔２３が並んで形成されており、一方の平面部２１に、各電線収容孔２３に対応してスリット２４が形成されている。
【００２８】
プラスチック成形パネルＰ３は、４個の電線収容孔２３が並んで形成されており、一方の平面部２１に、各電線収容孔２３に対応してスリット２４が形成されている。
【００２９】
プラスチック成形パネルＰ４は、２個の電線収容孔２３が並んで形成されており、一方の平面部２１に、各電線収容孔２３に対応してスリット２４が形成されている。
【００３０】
スリット２４は、プラスチック成形パネルＰ１，Ｐ２，Ｐ３，Ｐ４の成形時に形成される場合と、成形後にナイフカットにより形成される場合のいずれであってもよい。
【００３１】
図示しない各電線は、スリット２４を通してプラスチック成形パネルＰ１，Ｐ２，Ｐ３，Ｐ４の内部に向けて押し込まれ、各電線収容孔２３に収容されている。
【００３２】
プラスチック成形パネルＰ１，Ｐ２，Ｐ３，Ｐ４は、各電線収容孔２３に図示しない電線を収容した後に積層されている。上下方向に隣接するプラスチック成形パネルＰ１，Ｐ２，Ｐ３，Ｐ４は、例えば、両面粘着テープ等によって相互に固定されている。
【００３３】
本実施の形態に係るワイヤハーネス１Ｂは、図示しない各電線をプラスチック成形パネルＰ１，Ｐ２，Ｐ３，Ｐ４よりなるプロテクタ２Ｂの各電線収容孔２３に１本ずつ収容するので、車両の狭小な空間の隙間寸法が複数枚のプラスチック成形パネルＰ１，Ｐ２，Ｐ３，Ｐ４を収容できる大きさであるときに、複数の電線を不要に平面状に広げない状態で電線群を配索できる。
【００３４】
また、本実施の形態に係るワイヤハーネス１Ｂは、各電線をスリット２４を通してプラスチック成形パネルＰ１，Ｐ２，Ｐ３，Ｐ４の内部に向けて押し込むので、電線の端部に端子等の部品が装着されている場合でも、各電線を容易に電線収容孔２３に収容することができる。
【００３５】
図３に示すように、本発明の第３の実施の形態に係るワイヤハーネス１Ｃは、図示しない電線群と、図示しない各電線を１本ずつ隔離状態に収容して保護するプロテクタ２Ｃと、を備えている。
【００３６】
プロテクタ２Ｃは、一対の平面部２１と、一対の平面部２１間に並列する複数の隔壁２２と、隔壁２２間に形成されて各電線１１を収容する断面矩形の電線収容孔２３と、を有するプラスチック成形パネルＰ１，Ｐ２，Ｐ５，Ｐ６よりなる。
【００３７】
プラスチック成形パネルＰ１，Ｐ２，Ｐ５，Ｐ６は、７個の電線収容孔２３が並んで形成されており、一方の平面部２１に、各電線収容孔２３に対応してスリット２４が形成されている。
【００３８】
スリット２４は、プラスチック成形パネルＰ１，Ｐ２，Ｐ５，Ｐ６の成形時に形成される場合と、成形後にナイフカットにより形成される場合のいずれであってもよい。
【００３９】
図示しない各電線は、スリット２４を通してプラスチック成形パネルＰ１，Ｐ２，Ｐ５，Ｐ６の内部に向けて押し込まれ、各電線収容孔２３に収容されている。
【００４０】
プラスチック成形パネルＰ１，Ｐ２，Ｐ５，Ｐ６は、各電線収容孔２３に図示しない電線を収容した後に積層されている。上下方向に隣接するプラスチック成形パネルＰ１，Ｐ２，Ｐ５，Ｐ６は、例えば、両面粘着テープ等によって相互に固定されている。
【００４１】
本実施の形態に係るワイヤハーネス１Ｃは、図示しない各電線をプラスチック成形パネルＰ１，Ｐ２，Ｐ５，Ｐ６よりなるプロテクタ２Ｃの各電線収容孔２３に１本ずつ収容するので、車両の狭小な空間の隙間寸法が複数枚のプラスチック成形パネルＰ１，Ｐ２，Ｐ５，Ｐ６を収容できる大きさであるときに、複数の電線を不要に平面状に広げない状態で電線群を配索できる。
【００４２】
また、本実施の形態に係るワイヤハーネス１Ｃは、各電線をスリット２４を通してプラスチック成形パネルＰ１，Ｐ２，Ｐ５，Ｐ６の内部に向けて押し込むので、電線の端部に端子等の部品が装着されている場合でも、各電線を容易に電線収容孔２３に収容することができる。
【００４３】
図４に示すように、本発明の第４の実施の形態に係るワイヤハーネス１Ｄは、図示しない電線群と、図示しない各電線を１本ずつ隔離状態に収容して保護するプロテクタ２Ｄと、を備えている。
【００４４】
プロテクタ２Ｄは、一対の平面部２１と、一対の平面部２１間に並列する複数の隔壁２２と、隔壁２２間に形成されて各電線１１を収容する断面矩形の電線収容孔２３と、を有するプラスチック成形パネルＰ７，Ｐ８，Ｐ９，Ｐ１０，Ｐ１１よりなる。
【００４５】
プラスチック成形パネルＰ７は、６個の電線収容孔２３が並んで形成されており、一方の平面部２１に、各電線収容孔２３に対応してスリット２４が形成されている。
【００４６】
プラスチック成形パネルＰ８は、５個の電線収容孔２３が並んで形成されており、一方の平面部２１に、各電線収容孔２３に対応してスリット２４が形成されている。
【００４７】
プラスチック成形パネルＰ９は、４個の電線収容孔２３が並んで形成されており、一方の平面部２１に、各電線収容孔２３に対応してスリット２４が形成されている。
【００４８】
プラスチック成形パネルＰ１０は、３個の電線収容孔２３が並んで形成されており、一方の平面部２１に、各電線収容孔２３に対応してスリット２４が形成されている。
【００４９】
プラスチック成形パネルＰ１１は、２個の電線収容孔２３が並んで形成されており、一方の平面部２１に、各電線収容孔２３に対応してスリット２４が形成されている。
【００５０】
スリット２４は、プラスチック成形パネルＰ７，Ｐ８，Ｐ９，Ｐ１０，Ｐ１１の成形時に形成される場合と、成形後にナイフカットにより形成される場合のいずれであってもよい。
【００５１】
図示しない各電線は、スリット２４を通してプラスチック成形パネルＰ７，Ｐ８，Ｐ９，Ｐ１０，Ｐ１１の内部に向けて押し込まれ、各電線収容孔２３に収容されている。
【００５２】
プラスチック成形パネルＰ７，Ｐ８，Ｐ９，Ｐ１０，Ｐ１１は、各電線収容孔２３に図示しない電線を収容した後に積層されている。上下方向に隣接するプラスチック成形パネルＰ７，Ｐ８，Ｐ９，Ｐ１０，Ｐ１１は、例えば、両面粘着テープ等によって相互に固定されている。
【００５３】
本実施の形態に係るワイヤハーネス１Ｄは、図示しない各電線をプラスチック成形パネルＰ１，Ｐ２，Ｐ５，Ｐ６よりなるプロテクタ２Ｄの各電線収容孔２３に１本ずつ収容するので、車両の狭小な空間の隙間寸法が複数枚のプラスチック成形パネルＰ７，Ｐ８，Ｐ９，Ｐ１０，Ｐ１１を収容できる大きさであるときに、複数の電線を不要に平面状に広げない状態で電線群を配索できる。
【００５４】
また、本実施の形態に係るワイヤハーネス１Ｄは、各電線をスリット２４を通してプラスチック成形パネルＰ７，Ｐ８，Ｐ９，Ｐ１０，Ｐ１１の内部に向けて押し込むので、電線の端部に端子等の部品が装着されている場合でも、各電線を容易に電線収容孔２３に収容することができる。
【００５５】
図５に示すように、本発明の第５の実施の形態に係るワイヤハーネス１Ｅは、図示しない電線群と、図示しない各電線を１本ずつ隔離状態に収容して保護するプロテクタ２Ｅと、を備えている。
【００５６】
プロテクタ２Ｅは、一対の平面部２１と、一対の平面部２１間に並列する複数の隔壁２２と、隔壁２２間に形成されて各電線１１を収容する断面矩形の電線収容孔２３と、を有するプラスチック成形パネルＰ１２，Ｐ１３よりなる。
【００５７】
プラスチック成形パネルＰ１２，Ｐ１３の当初の形状は、１３個の電線収容孔２３が並んで形成されており、一方の平面部２１に、各電線収容孔２３に対応してスリット２４が形成されている。
【００５８】
スリット２４は、プラスチック成形パネルＰ１２，Ｐ１３の成形時に形成される場合と、成形後にナイフカットにより形成される場合のいずれであってもよい。
【００５９】
図示しない各電線は、スリット２４を通してプラスチック成形パネルＰ１２，Ｐ１３の内部に向けて押し込まれ、端から７個目の電線収容孔２３を除いた各電線収容孔２３に収容されている。
【００６０】
プラスチック成形パネルＰ１２，Ｐ１３は、端から７個目の電線収容孔２３を除いた各電線収容孔２３に図示しない電線を収容した後、端から７個目の電線収容孔２３のスリット２４が開くように、端から７個目の電線収容孔２３を境界として二つ折り状態に折り畳まれ、例えば、両面粘着テープ等により二つ折り状態に固定されている。
【００６１】
プラスチック成形パネルＰ１２，Ｐ１３は、二つ折り状態に固定された後に積層されている。上下方向に隣接するプラスチック成形パネルＰ１２，Ｐ１３は、例えば、両面粘着テープ等によって相互に固定されている。
【００６２】
本実施の形態に係るワイヤハーネス１Ｅは、図示しない各電線をプラスチック成形パネルＰ１２，Ｐ１３よりなるプロテクタ２Ｅの各電線収容孔２３に１本ずつ収容するので、車両の狭小な空間の隙間寸法が二つ折り状態の複数枚のプラスチック成形パネルＰ１２，Ｐ１３を収容できる大きさであるときに、複数の電線を不要に平面状に広げない状態で電線群を配索できる。
【００６３】
また、本実施の形態に係るワイヤハーネス１Ｅは、各電線をスリット２４を通してプラスチック成形パネルＰ１２，Ｐ１３の内部に向けて押し込むので、電線の端部に端子等の部品が装着されている場合でも、各電線を容易に電線収容孔２３に収容することができる。
【００６４】
図６に示すように、本発明の第６の実施の形態に係るワイヤハーネス１Ｆは、複数の電線１１からなる電線群１２と、各電線１１を１本ずつ隔離状態に収容して保護するプロテクタ２Ａと、を備えている。
【００６５】
プロテクタ２Ｆは、一対の平面部２１と、一対の平面部２１間に並列する複数の隔壁２２と、隔壁２２間に形成されて各電線１１を収容する断面矩形の電線収容孔２３と、を有するプラスチック成形パネルＰ１４よりなる。
【００６６】
プラスチック成形パネルＰ１４は、８個の電線収容孔２３が並んで形成されており、一方の平面部２１に、各電線収容孔２３に対応してスリット２４と、所定の電線収容孔２３から外部に向けて開口する開口部２５が形成されている。
【００６７】
スリット２４は、プラスチック成形パネルＰ１４の成形時に形成される場合と、成形後にナイフカットにより形成される場合のいずれであってもよい。
【００６８】
各電線１１は、スリット２４を通してプラスチック成形パネルＰ１４の内部に向けて押し込まれ、各電線収容孔２３に収容されている。また、一部の電線１１は、電線群１２の枝線または幹線として開口部２５からプラスチック成形パネルＰ１４の外部へ取り出されている。
【００６９】
本実施の形態に係るワイヤハーネス１Ｆは、各電線１１をプラスチック成形パネルＰ１４よりなるプロテクタ２Ｆの各電線収容孔２３に１本ずつ収容するので、従来の複数の電線を束ねた電線群をプロテクタで隠蔽した構成のワイヤハーネスでは配索することが難しかった狭小な空間にも電線群１２を配索できる。
【００７０】
これに加えて、本実施の形態に係るワイヤハーネス１Ｆは、車両の狭小な空間に対応した位置で、プラスチック成形パネルＰ１４の開口部２５から電線群１２をなす一部の電線１１を枝線または幹線として取り出す配索ができるので、電線群１２の配索の自由度が増大する。
【００７１】
また、本実施の形態に係るワイヤハーネス１Ｆは、各電線１１をスリット２４を通してプラスチック成形パネルＰ１４の内部に向けて押し込むので、電線１１の端部に端子等の部品が装着されている場合でも、各電線１１を容易に電線収容孔２３に収容することができる。
【００７２】
以上説明したように、本発明に係るワイヤハーネスおよびプロテクタは、電線群の狭小な空間に配索される部分を保護することができるという効果を有し、ワイヤハーネスおよびプロテクタ全般に有用である。
【符号の説明】
【００７３】
１Ａ，１Ｂ，１Ｃ，１Ｄ，１Ｅ，１Ｆ  ワイヤハーネス
２Ａ，２Ｂ，２Ｃ，２Ｄ，２Ｅ，２Ｆ  プロテクタ
１１  電線
１２  電線群
２１  平面部
２２  隔壁
２３  電線収容孔
２４  スリット
２５  開口部
Ｐ１，Ｐ２，Ｐ３，Ｐ４，Ｐ５，Ｐ６  プラスチック成形パネル
Ｐ７，Ｐ８，Ｐ９，Ｐ１０，Ｐ１１  プラスチック成形パネル
Ｐ１２，Ｐ１３，Ｐ１４  プラスチック成形パネル
【図１】
2016101027.tif 000003
【図２】
2016101027.tif 000004
【図３】
2016101027.tif 000005
【図４】
2016101027.tif 000006
【図５】
2016101027.tif 000007
【図６】
2016101027.tif 000008
【図７】
2016101027.tif 000009